Podtech/llm-jp-corpus-v4-ja_patent huggingface dataset:
【手続補正書】
【提出日】平成26年1月7日(2014.1.7)
【手続補正１】
【補正対象書類名】特許請求の範囲
【補正対象項目名】全文
【補正方法】変更
【補正の内容】
【特許請求の範囲】
【請求項１】
発射口から空気を発射する空気発射装置と、
オブジェクトをオブジェクト空間内で移動させる処理を行う処理部と、
前記処理部の処理結果に基づき前記空気発射装置を制御する空気発射装置制御部と、
前記オブジェクトの立体視用画像を生成する画像生成部と、
前記立体視用画像を表示する表示部とを含み、
前記空気発射装置制御部は、
前記オブジェクト空間内の投影面よりも視点から見て手前側の第１のエリアに位置するオブジェクトがある場合に、前記空気発射装置の発射口から空気を発射させる制御を行うことを特徴とするゲームシステム。
【請求項２】
請求項１において、
前記空気発射装置制御部は、
前記投影面よりも視点から見て奥側の第２のエリアから前記第１のエリアまで移動する前記オブジェクトがある場合に、前記空気発射装置の発射口から空気を発射させる制御を行うことを特徴とするゲームシステム。
【請求項３】
請求項２において、
前記空気発射装置制御部は、
前記オブジェクトの前記投影面からの移動量に応じて、前記発射口からの空気の発射タイミングを変化させることを特徴とするゲームシステム。
【請求項４】
請求項３において、
前記空気発射装置制御部は、
前記オブジェクトが前記投影面から所定距離だけ離れた位置に到達するタイミングに応じて、前記発射口からの空気の発射タイミングを変化させることを特徴とするゲームシステム。
【請求項５】
請求項２乃至４のいずれかにおいて、
前記空気発射装置は、
前記発射口の口径が変更可能に構成され、
前記空気発射装置制御部は、
前記オブジェクトの前記投影面からの移動量に応じて、前記発射口の口径を変更する制御を行うことを特徴とするゲームシステム。
【請求項６】
請求項２乃至５のいずれかにおいて、
前記空気発射装置は、
前記発射口の口径が変更可能に構成され、
前記空気発射装置制御部は、
前記オブジェクトの速度に応じて、前記発射口の口径を変更する制御を行うことを特徴とするゲームシステム。
【請求項７】
請求項１乃至６のいずれかにおいて、
プレーヤが所定位置でゲームプレイ可能に構成され、
前記空気発射装置は、
前記発射口から発射された空気が前記所定位置でゲームプレイするプレーヤに当たるように配置されていることを特徴とするゲームシステム。
【請求項８】
請求項７において、
前記空気発射装置は、
前記表示部の近傍に配置され、前記発射口が前記プレーヤの位置に向けて開口されていることを特徴とするゲームシステム。
【請求項９】
請求項７又は８において、
振動可能に構成されたプレーヤ用の座席と、
前記発射口から発射された空気が前記座席に着座したプレーヤに当たるタイミングに合わせて、前記座席を振動させる制御を行う振動制御部とを更に含むことを特徴とするゲームシステム。
【請求項１０】
請求項１乃至９のいずれかにおいて、
前記空気発射装置は、
前記発射口からの空気の発射角度が変更可能に構成されていることを特徴とするゲームシステム。
【請求項１１】
請求項１乃至１０のいずれかにおいて、
ゲーム音を出力する音出力部と、
前記空気発射装置の発射口から空気が発射されるタイミングでゲーム音を生成して前記音出力部に出力する音生成部とを更に含むことを特徴とすることを特徴とするゲームシステム。
【請求項１２】
請求項１乃至１１のいずれかにおいて、
ゲーム音を出力する音出力部と、
前記空気発射装置の発射口からの空気の発射に応じて音像定位が変化するゲーム音を生成して前記音出力部に出力する音生成部とを更に含むことを特徴とすることを特徴とするゲームシステム。
【請求項１３】
請求項１２において、
前記音出力部は、
プレーヤの前方と後方のそれぞれに配置されていることを特徴とするゲームシステム。
【請求項１４】
請求項１乃至１３のいずれかにおいて、
光を出射する光源と、
前記光源を制御する光源制御部とを更に含み、
前記光源制御部は、
前記空気発射装置の発射口から空気が発射された場合に、前記光源から出射される光を変化させる制御を行うことを特徴とするゲームシステム。
【請求項１５】
発射口から空気を発射する空気発射装置と、
プレーヤが把持して操作するコントローラと、
オブジェクト空間内で標的オブジェクトを移動させ、前記コントローラからの入力情報に基づき前記コントローラが指示している表示画面上の位置を演算し、演算された位置が前記標的オブジェクトの表示位置と一致するか否かを判定し、判定結果に基づき演出画像を表示させるゲーム処理を行う処理部と、
前記オブジェクト空間における前記標的オブジェクトの位置に基づき、前記空気発射装置の発射口から空気を発射させる制御を行う空気発射装置制御部と、
前記標的オブジェクトの立体視用画像を生成する画像生成部と、
前記立体視用画像を表示する表示部と、
振動可能に構成されたプレーヤ用の座席と、
前記座席を振動させる制御を行う振動制御部と、
ゲーム音を出力する音出力する音出力部と、
ゲーム音を生成して前記音出力部に出力する音生成部とを含み、
前記空気発射装置制御部は、
前記オブジェクト空間内の投影面よりも視点から見て手前側の第１のエリアに位置する標的オブジェクトがある場合に、前記空気発射装置の発射口から空気を発射させる制御を行い、
前記空気発射装置は、
前記発射口から発射された空気が前記座席に着座したプレーヤに当たるように配置され、
前記振動制御部は、
前記発射口から発射された空気が前記座席に着座したプレーヤに当たるタイミングに合わせて、前記座席を振動させる制御を行い、
前記音生成部は、
発射口から空気が発射されるタイミングでゲーム音を生成して前記音出力部に出力することを特徴とするゲームシステム。
【手続補正書】
【提出日】平成26年2月14日(2014.2.14)
【手続補正１】
【補正対象書類名】明細書
【補正対象項目名】００８２
【補正方法】変更
【補正の内容】
【００８２】
そして、リバウンド判定部１８６は、次に、所定以上のインピーダンス増加があったかを判定する（ステップＳ７１）。具体的には、インピーダンス記憶部１２２の増加日カウントの値が０から１に変わった時点の移動平均インピーダンス値（図９では７日目の移動平均インピーダンス値）を基準として、本日の移動平均インピーダンス値が、この基準値の５％増加後の値以上であると判定した場合には、所定以上のインピーダンス増加があったと判定する。たとえば、７日目の移動平均インピーダンス値（４６４．７Ω）を用いると、４６４．７Ω×０．０５＝２３．２Ωの増加を指す移動平均インピーダンス値が算出された、たとえば１６日目においては、所定以上のインピーダンス増加があったと判定される（ステップＳ７１でＹＥＳ）。この判定は、図１０のポイントＰ１が指示する１６日目のリバウンドの可能性ありの判定に対応する。
【手続補正２】
【補正対象書類名】図面
【補正対象項目名】図６
【補正方法】変更
【補正の内容】
【図６】
2012205817.tif 000001
【手続補正３】
【補正対象書類名】図面
【補正対象項目名】図７
【補正方法】変更
【補正の内容】
【図７】
2012205817.tif 000002
【手続補正書】
【提出日】平成26年3月28日(2014.3.28)
【手続補正１】
【補正対象書類名】特許請求の範囲
【補正対象項目名】全文
【補正方法】変更
【補正の内容】
【特許請求の範囲】
【請求項１】
被検者眼に向けて測定光を投光する投光光学系、外気と接する光透過部材を介して，被検者眼からの前記測定光の反射光を受光素子によって受光する受光光学系、を有する測定光学系と、
前記測定光学系を収納すると共に、被検者眼側において前記光透過部材を保持する装置本体と、を備え、
前記受光素子からの出力信号に基づいて被検者眼の眼特性を測定する眼科測定装置において、
外気と接する光透過部材の結露を除去する結露除去手段を備えることを特徴とする眼科測定装置。
【請求項２】
前記結露除去手段は、熱を発生させる発熱体を有し、前記光透過部材を加熱することにより結露を除去する加熱ユニットであることを特徴とする請求項１の眼科測定装置。
【請求項３】
前記装置本体は、前記光透過部材を保持するためのホルダーを有し、
さらに、前記ホルダーと前記装置本体との間には、前記装置本体に熱が移動されるのを防止するための断熱部材が設けられていることを特徴とする請求項１又は２の眼科測定装置。
【請求項４】
前記光透過部材は、前記測定光学系の対物レンズより被検者側に配置された薄板状の光透過部材であることを特徴とする請求項１〜３のいずれかの眼科測定装置。
【手続補正２】
【補正対象書類名】明細書
【補正対象項目名】００１０
【補正方法】変更
【補正の内容】
【００１０】
（１）  本開示の第１態様に係る眼科測定装置は、被検者眼に向けて測定光を投光する投光光学系、外気と接する光透過部材を介して，被検者眼からの前記測定光の反射光を受光素子によって受光する受光光学系、を有する測定光学系と、前記測定光学系を収納すると共に、被検者眼側において前記光透過部材を保持する装置本体と、を備え、前記受光素子からの出力信号に基づいて被検者眼の眼特性を測定する眼科測定装置において、外気と接する光透過部材の結露を除去する結露除去手段を備えることを特徴とする。
【手続補正書】
【提出日】平成26年3月17日(2014.3.17)
【手続補正１】
【補正対象書類名】特許請求の範囲
【補正対象項目名】全文
【補正方法】変更
【補正の内容】
【特許請求の範囲】
【請求項１】
所定のコンテンツを利用するためのライセンス情報および前記ライセンス情報の再認証を行う間隔を示す認証間隔情報を格納する通信装置と近接無線通信を行い、前記ライセンス情報および前記認証間隔情報を取得する第１の通信部と、
前記ライセンス情報の認証を行うサーバに前記通信装置から取得した前記ライセンス情報を送信し、前記ライセンス情報の認証が成功した場合に前記コンテンツを配信するサーバから送信される前記コンテンツを取得する第２の通信部と、
前記コンテンツを配信するサーバから取得した前記コンテンツを再生する再生部と
を備え、
前記第１の通信部は、前記コンテンツの再生中に、前記認証間隔情報に基づいて、定期的に前記ライセンス情報を取得するために前記通信装置との近接無線通信を試み、
前記再生部は、前記コンテンツの再生中に前記通信装置から取得した前記ライセンス情報による再認証の結果に基づいて、前記コンテンツの再生を継続または停止する
情報処理装置。
【請求項２】
前記第１の通信部は、前記コンテンツの再生中に、前記認証間隔情報に基づく前記ライセンス情報の有効期限前の所定の第１の期間および前記有効期限後の所定の第２の期間の少なくとも一方において、前記ライセンス情報を取得するために前記通信装置との近接無線通信を試みる
請求項１に記載の情報処理装置。
【請求項３】
前記第１の期間および前記第２の期間の少なくとも一方において、前記ライセンス情報の再認証の実行をユーザに促す通知を行う通知部を
さらに備える請求項２に記載の情報処理装置。
【請求項４】
前記第１の通信部は、前記第１の期間および前記第２の期間の少なくとも一方において、ユーザ操作により前記ライセンス情報を取得するために前記通信装置との近接無線通信を試みる
請求項２または３に記載の情報処理装置。
【請求項５】
前記再生部は、前記有効期限が経過してから前記ライセンス情報の再認証が成功するまでの間、前記コンテンツの再生を停止する
請求項２乃至４のいずれかに記載の情報処理装置。
【請求項６】
前記第２の通信部は、前記ライセンス情報および前記認証間隔情報を前記通信装置から取得するためのコマンドを前記ライセンス情報の認証を行うサーバから取得し、
前記第１の通信部は、前記ライセンス情報の認証を行うサーバから取得した前記コマンドを用いて前記ライセンス情報および前記認証間隔情報を前記通信装置から取得する
請求項１乃至５のいずれかに記載の情報処理装置。
【請求項７】
前記ライセンス情報は暗号化された状態で前記通信装置に格納され、前記認証間隔情報は暗号化されていない状態で前記通信装置に格納され、
前記第２の通信部は、前記コマンドを用いて取得した前記ライセンス情報を暗号化されたまま前記ライセンス情報の認証を行うサーバに送信する
請求項６に記載の情報処理装置。
【請求項８】
前記第２の通信部は、前記コンテンツの再生中に前記通信装置から取得した前記ライセンス情報を前記ライセンス情報の認証を行うサーバに送信し、
前記再生部は、前記ライセンス情報の認証を行うサーバによる前記ライセンス情報の再認証の結果に基づいて、前記コンテンツの再生を継続または停止する
請求項１乃至７のいずれかに記載の情報処理装置。
【請求項９】
前記ライセンス情報の再認証を行う再認証部をさらに備え、
前記再生部は、前記再認証部による前記ライセンス情報の再認証の結果に基づいて、前記コンテンツの再生を継続または停止する
請求項１乃至７のいずれかに記載の情報処理装置。
【請求項１０】
所定のコンテンツを利用するためのライセンス情報および前記ライセンス情報の再認証を行う間隔を示す認証間隔情報を格納する通信装置と近接無線通信を行い、前記ライセンス情報および前記認証間隔情報を取得し、
前記ライセンス情報の認証を行うサーバに前記通信装置から取得した前記ライセンス情報を送信し、
前記ライセンス情報の認証が成功した場合に前記コンテンツを配信するサーバから送信される前記コンテンツを取得し、
前記コンテンツを配信するサーバから取得した前記コンテンツを再生し、
前記コンテンツの再生中に、前記認証間隔情報に基づいて、定期的に前記ライセンス情報を取得するために前記通信装置との近接無線通信を試み、
前記コンテンツの再生中に前記通信装置から取得した前記ライセンス情報による再認証の結果に基づいて、前記コンテンツの再生を継続または停止する
ステップを含む情報処理方法。
【請求項１１】
所定のコンテンツを利用するためのライセンス情報および前記ライセンス情報の再認証を行う間隔を示す認証間隔情報を格納する記憶部と、
前記コンテンツを再生する情報処理装置と近接無線通信を行い、前記情報処理装置からの要求に応じて、前記ライセンス情報および前記認証間隔情報を前記情報処理装置に送信する通信部と
を備える通信装置。
【請求項１２】
前記ライセンス情報は暗号化された状態で前記記憶部に格納され、前記認証間隔情報は暗号化されていない状態で前記記憶部に格納される
請求項１１に記載の通信装置。
【手続補正書】
【提出日】平成26年2月7日(2014.2.7)
【手続補正１】
【補正対象書類名】特許請求の範囲
【補正対象項目名】請求項２
【補正方法】変更
【補正の内容】
【請求項２】
前記調整用アンテナは、切替えスイッチを介して信号発生器に接続される複数のアンテナであって、該各アンテナは、仰角軸上及び方位角軸上の異なる見込み角の位置に設置され、前記複数の調整用アンテナを切替えることにより、前記調整用アンテナの主反射鏡上の位置とその調整用アンテナから調整用信号を放射した場合の誤差信号を測定し、前記主反射鏡の仰角軸上及び方位角軸上の調整用アンテナから調整用信号を放射した場合の測定結果により仰角方向及び方位角方向の正規化誤差感度を推定するようにしたことを特徴とする請求項１に記載の追尾アンテナ装置の調整方法。
【手続補正２】
【補正対象書類名】明細書
【補正対象項目名】００２３
【補正方法】変更
【補正の内容】
【００２３】
１  一次放射器、                ２  副反射鏡、
３  副反射鏡、                  ４  主反射鏡、
５  給電回路、                  ６  ＬＮＡ、
７  ＬＮＡ、                    ８  受信回路、
９  アンテナ追尾回路、          １０  駆動制御回路、
１１  アンテナ駆動機構、        １２  調整用アンテナ、
１２Ａ  調整用アンテナ、        １２Ｂ  調整用アンテナ、
１３  信号発生器、              １４  移動物体、
１５  和信号、                  １６  差信号、
１７  仰角誤差信号、            １８  方位角誤差信号、
１９  移動物体からの電波、      ２０  調整用信号、
２１  周波数変換器、            ２２  可変遅延回路、
２３  可変遅延回路、            ２４  角度誤差検出回路、
３０  π／２移相器、            ３１  乗算器、
３２  乗算器、                  ３３  低域通過フィルタ、
３４  低域通過フィルタ、        ４０  切替えスイッチ。
【手続補正書】
【提出日】平成26年2月7日(2014.2.7)
【手続補正１】
【補正対象書類名】特許請求の範囲
【補正対象項目名】請求項１
【補正方法】変更
【補正の内容】
【請求項１】
ＨＤＴＶに適用される音声デマルチプレクサであって、
同一のラインに音声のサンプルが２つ多重されているときに、２サンプル目に付けられている音声クロック位相情報データが１サンプル目に付けられている音声クロック位相情報データよりも大きく、かつ、前記ラインの１水平期間前に多重されていた最後のサンプルの音声クロック位相情報データに比べて、前記ラインにおける１サンプル目に付けられている音声クロック位相情報データが小さいという条件が満たされているか否かを判定する判定手段と、
前記条件が満たされていないと判定された場合にアラームを出力するアラーム出力手段と、
前記アラームを検出したときに、映像から作ったクロックを出力するクロック出力手段とを備える
ことを特徴とする音声デマルチプレクサ。
【手続補正２】
【補正対象書類名】特許請求の範囲
【補正対象項目名】請求項２
【補正方法】変更
【補正の内容】
【請求項２】
ＨＤＴＶに適用される音声デマルチプレクス方法であって、
同一のラインに音声のサンプルが２つ多重されているときに、２サンプル目に付けられている音声クロック位相情報データが１サンプル目に付けられている音声クロック位相情報データよりも大きく、かつ、前記ラインの１水平期間前に多重されていた最後のサンプルの音声クロック位相情報データに比べて、前記ラインにおける１サンプル目に付けられている音声クロック位相情報データが小さいという条件が満たされているか否かを判定し、
前記条件が満たされていないと判定した場合にアラームを出力し、
前記アラームを検出したときに、映像から作ったクロックを出力する
ことを特徴とする音声デマルチプレクス方法。
【手続補正３】
【補正対象書類名】明細書
【補正対象項目名】００１６
【補正方法】変更
【補正の内容】
【００１６】
本発明による音声デマルチプレクサは、同一のラインに音声のサンプルが２つ多重されているときに、２サンプル目に付けられている音声クロック位相情報データが１サンプル目に付けられている音声クロック位相情報データよりも大きく、かつ、そのラインの１水平期間前に多重されていた最後のサンプルの音声クロック位相情報データに比べて、そのラインにおける１サンプル目に付けられている音声クロック位相情報データが小さいという条件が満たされているか否かを判定する判定手段と、その条件が満たされていないと判定された場合にアラームを出力するアラーム出力手段と、アラームを検出したときに、映像から作ったクロックを出力するクロック出力手段とを備えることを特徴とする。
【手続補正４】
【補正対象書類名】明細書
【補正対象項目名】００１７
【補正方法】変更
【補正の内容】
【００１７】
また、本発明による音声デマルチプレクス方法は、同一のラインに音声のサンプルが２つ多重されているときに、２サンプル目に付けられている音声クロック位相情報データが１サンプル目に付けられている音声クロック位相情報データよりも大きく、かつ、そのラインの１水平期間前に多重されていた最後のサンプルの音声クロック位相情報データに比べて、そのラインにおける１サンプル目に付けられている音声クロック位相情報データが小さいという条件が満たされているか否かを判定し、その条件が満たされていないと判定した場合にアラームを出力し、アラームを検出したときに、映像から作ったクロックを出力することを特徴とする。
【手続補正５】
【補正対象書類名】明細書
【補正対象項目名】００２３
【補正方法】変更
【補正の内容】
【００２３】
以下、本発明の実施形態を図面を参照して説明する。
本発明は、ＨＤＴＶ（Ｈｉｇｈ  Ｄｅｆｉｎｉｔｉｏｎ  Ｔｅｌｅｖｉｓｉｏｎ）に適用される。本実施形態では、映像の１水平期間（１Ｈと記す。）のクロック数が２２００であり、音声のサンプリング周波数４８ＫＨｚとの関係から、平均で１Ｈ当たり約１．４サンプル分の音声データを多重することになる。従って、１Ｈ当たり１サンプルを多重するときと、２サンプルを多重するときとがある。本発明では、２サンプル目を多重するときの音声クロック位相情報データは、１サンプル目の音声クロック位相情報データに対して増加していること、かつ、１水平期間を跨ぐときには、音声クロック位相情報データが減少していることを検出したときに、アラームを出力しない。
【手続補正６】
【補正対象書類名】明細書
【補正対象項目名】００２４
【補正方法】変更
【補正の内容】
【００２４】
すなわち、同一のラインに２サンプルが多重されているときに、２サンプル目に付けられている音声クロック位相情報データが１サンプル目に付けられている音声クロック位相情報データよりも大きく、かつ、その着目しているラインの１Ｈ前に多重されていた最後のサンプルの音声クロック位相情報データに比べて、その着目しているラインに多重されている１サンプル目の音声クロック位相情報データが小さいという条件が満たされていないことを検出した場合、音声クロック位相情報データについてのアラームを出力する。
【手続補正７】
【補正対象書類名】明細書
【補正対象項目名】００２９
【補正方法】変更
【補正の内容】
【００２９】
ＡＵＣＫＡＬＭ１００８は、音声クロック位相情報データの誤りの有無を検出する回路であり、誤りを検出した場合に、アラームをアラーム出力端子１０１０とセレクタ１００９に出力する。すなわち、ＡＵＣＫＡＬＭ１００８は、上述の条件が満たされたか否かを監視し、その条件が満たされていないことを検出した場合に、アラームをアラーム出力端子１０１０とセレクタ１００９に出力する。
【手続補正８】
【補正対象書類名】明細書
【補正対象項目名】００６９
【補正方法】変更
【補正の内容】
【００６９】
アラーム出力手段５０２は、その条件が満たされていないと判定された場合にアラームを出力する。クロック出力手段５０３は、そのアラームを検出したときに、映像から作ったクロックを出力する。
【手続補正書】
【提出日】平成26年3月19日(2014.3.19)
【手続補正１】
【補正対象書類名】明細書
【補正対象項目名】発明の名称
【補正方法】変更
【補正の内容】
【発明の名称】撮影機器、撮影方法及び再生方法
【手続補正２】
【補正対象書類名】明細書
【補正対象項目名】０００１
【補正方法】変更
【補正の内容】
【０００１】
本発明は、動画像を撮像可能な撮影機器、撮影方法及び再生方法に関する。
【手続補正３】
【補正対象書類名】明細書
【補正対象項目名】０００６
【補正方法】変更
【補正の内容】
【０００６】
本発明は、再生時に、被写体を所望の画角で連続的に画像表示することを可能にすることができる撮影機器、撮影方法及び再生方法を提供することを目的とする。
【手続補正４】
【補正対象書類名】明細書
【補正対象項目名】０００７
【補正方法】変更
【補正の内容】
【０００７】
本発明に係る撮影機器は、撮像部と、上記撮像部によって撮影された動画像中の動きのある被写体を検出する被写体検出部と、上記動画像中の上記被写体が動きによってフレーム外れになることを検出して画角を広角側に変更するズーム制御部と、上記ズーム制御部による画角の変更タイミングの情報を上記動画像に対応させて記録する制御部とを具備する。
また、本発明に係る撮影方法は、撮影された動画像中の動きのある被写体を検出し、上記動画像中の上記被写体が動きによってフレーム外れになることを検出して画角を広角側に変更し、上記画角の変更タイミングの情報を上記動画像に対応させて記録する。
また、本発明に係る再生方法は、被写体の動きに伴うフレーム外れに応じて画角が広角側に変更されて撮像された動画像に対応させて上記画角の変更タイミングの情報が記録された画像ファイルから、上記画角の変更タイミングの情報を読み出して、上記動画像の表示上の画角を調整して表示する。
【手続補正５】
【補正対象書類名】特許請求の範囲
【補正対象項目名】全文
【補正方法】変更
【補正の内容】
【特許請求の範囲】
【請求項１】
撮像部と、
上記撮像部によって撮影された動画像中の動きのある被写体を検出する被写体検出部と、
上記動画像中の上記被写体が動きによってフレーム外れになることを検出して画角を広角側に変更するズーム制御部と、
上記ズーム制御部による画角の変更タイミングの情報を上記動画像に対応させて記録する制御部と
を具備したことを特徴とする撮影機器。
【請求項２】
上記動画像の再生時に、上記画角の変更タイミングの情報を用いて、撮像時の上記画角の変更に拘わらず、動画像の表示上の画角を調整して表示する再生表示制御部
を具備したことを特徴とする請求項１に記載の撮影機器。
【請求項３】
上記制御部は、上記画角の変更タイミングの情報と共に、上記画角変更前後の画角の比の情報及び上記被写体の視野範囲における位置情報を記録する
ことを特徴とする請求項１に記載の撮影機器。
【請求項４】
上記追尾被写体を上記再生時に上記表示部上のタッチパネルで指定するために、
上記再生表示制御部が、上記再生画像をスロー表示する
ことを特徴とする請求項２に記載の撮影機器。
【請求項５】
上記再生表示制御部は、上記画角変更タイミングの情報及び画角変更前後の画角の比の情報を用いることで、撮像時の上記画角の変更に拘わらず、動画像の表示上の画角を一定にして表示する
ことを特徴とする請求項２に記載の撮影機器。
【請求項６】
上記再生表示制御部は、上記位置情報を用いることで、上記被写体を常に表示させる
ことを特徴とする請求項３に記載の撮影機器。
【請求項７】
上記撮像画像の画素数を変更する画素数切替部を具備し、
上記画素数切替部は、上記画角を変更するタイミングで、上記撮像画像の画素数を増大させる
ことを特徴とする請求項１に記載の撮影機器。
【請求項８】
上記制御部は、上記動画像及び上記画角の変更タイミングの情報の記録後に、上記動画像の再生時における表示上の画角を調整するタイミングの情報を記録する
ことを特徴とする請求項１に記載の撮影機器。
【請求項９】
上記制御部は、上記動画像及び上記画角の変更タイミングの情報の記録後に、上記動画像を拡大表示する位置を示す情報を記録する
ことを特徴とする請求項８に記載の撮影機器。
【請求項１０】
撮影された動画像中の動きのある被写体を検出し、
上記動画像中の上記被写体が動きによってフレーム外れになることを検出して画角を広角側に変更し、
上記画角の変更タイミングの情報を上記動画像に対応させて記録する、
ことを特徴とする撮影方法。
【請求項１１】
被写体の動きに伴うフレーム外れに応じて画角が広角側に変更されて撮像された動画像に対応させて上記画角の変更タイミングの情報が記録された画像ファイルから、上記画角の変更タイミングの情報を読み出して、上記動画像の表示上の画角を調整して表示する
ことを特徴する再生方法。
【手続補正書】
【提出日】平成26年2月6日(2014.2.6)
【手続補正１】
【補正対象書類名】特許請求の範囲
【補正対象項目名】請求項１
【補正方法】変更
【補正の内容】
【請求項１】
負荷を有するシステムに適用され、前記負荷に対して電力を供給する蓄電装置であって、
複数の二次電池を直列に接続した電池列を複数個並列に接続してなるバッテリユニットと、
前記電池列間の電圧差を低減させる電圧均等化手段と、
各前記電池列と前記負荷との間に設けられた第１スイッチング手段と
を有し、
前記電圧均等化手段は、
各前記電池列に接続する第１抵抗手段と、
前記電池列を前記第１抵抗手段を介して電気的に接続および切断する第２スイッチング手段と、
前記第２スイッチング手段を制御する制御手段と
を有し、
前記システムが停止した後に、前記電圧均等化手段の第２スイッチング手段がオンされることにより前記電池列間の電圧差を低減させる蓄電装置。
【手続補正２】
【補正対象書類名】特許請求の範囲
【補正対象項目名】請求項５
【補正方法】変更
【補正の内容】
【請求項５】
負荷を有するシステムに適用され、前記負荷に対して電力を供給する蓄電装置であって、
複数の二次電池を直列に接続した電池列を複数個並列に接続してなるバッテリユニットと、
前記電池列間の電圧差を低減させる電圧均等化手段と、
各前記電池列と前記負荷との間に設けられた第１スイッチング手段と
を有し、
前記電圧均等化手段は、
各前記二次電池にそれぞれ対応して設けられた第２抵抗手段と、
各前記二次電池と各前記抵抗手段とを電気的に接続及び切断する第３スイッチング手段と、
前記第３スイッチング手段を制御する制御手段と
を有し、
前記システムが停止した後に、各前記電池列の端子電圧によって決定される基準端子電圧よりも端子電圧の高い電池列を放電対象とし、該放電対象の電池列の前記第３スイッチング手段をオンすることにより、前記電池列間の電圧差を低減させる蓄電装置。
【手続補正３】
【補正対象書類名】明細書
【補正対象項目名】０００７
【補正方法】変更
【補正の内容】
【０００７】
上記課題を解決するために、本発明は以下の手段を採用する。
本発明は、負荷を有するシステムに適用され、前記負荷に対して電力を供給する蓄電装置であって、複数の二次電池を直列に接続した電池列を複数個並列に接続してなるバッテリユニットと、前記電池列間の電圧差を低減させる電圧均等化手段と、各前記電池列と前記負荷との間に設けられた第１スイッチング手段とを有し、前記電圧均等化手段は、各前記電池列に接続する第１抵抗手段と、前記電池列を前記第１抵抗手段を介して電気的に接続および切断する第２スイッチング手段と、前記第２スイッチング手段を制御する制御手段とを有し、前記システムが停止した後に、前記電圧均等化手段の第２スイッチング手段がオンされることにより前記電池列間の電圧差を低減させる蓄電装置を提供する。
【手続補正４】
【補正対象書類名】明細書
【補正対象項目名】００１５
【補正方法】変更
【補正の内容】
【００１５】
本発明は、負荷を有するシステムに適用され、前記負荷に対して電力を供給する蓄電装置であって、複数の二次電池を直列に接続した電池列を複数個並列に接続してなるバッテリユニットと、前記電池列間の電圧差を低減させる電圧均等化手段と、各前記電池列と前記負荷との間に設けられた第１スイッチング手段とを有し、前記電圧均等化手段は、各前記二次電池にそれぞれ対応して設けられた第２抵抗手段と、各前記二次電池と各前記抵抗手段とを電気的に接続及び切断する第３スイッチング手段と、前記第３スイッチング手段を制御する制御手段とを有し、前記システムが停止した後に、各前記電池列の端子電圧によって決定される基準端子電圧よりも端子電圧の高い電池列を放電対象とし、該放電対象の電池列の前記第２スイッチング手段をオンすることにより、前記電池列間の電圧差を低減させる蓄電装置を提供する。
【手続補正書】
【提出日】平成26年3月5日(2014.3.5)
【手続補正１】
【補正対象書類名】明細書
【補正対象項目名】０００６
【補正方法】変更
【補正の内容】
【０００６】
上記課題を解決するため、本発明の撮像装置は、指定された撮影シーンに応じた撮像条件を設定する撮像条件設定処理と、装置本体の現在位置または現在日時に応じた撮影対象を選択する撮影対象選択処理の両方の処理を実行させる実行手段と、前記実行手段による前記撮像条件設定処理と前記撮影対象選択処理の実行中に、一方の処理の処理状態を他方の処理の処理内容に反映させる制御を行う制御手段と、を備えることを特徴としている。
【手続補正２】
【補正対象書類名】明細書
【補正対象項目名】０００７
【補正方法】変更
【補正の内容】
【０００７】
また、本発明の撮像補助方法は、指定された撮影シーンに応じた撮像条件を設定する撮像条件設定処理と、装置本体の現在位置または現在日時に応じた撮影対象を選択する撮影対象選択処理と、前記撮像条件設定処理と前記撮影対象選択処理の両方の処理を実行させる実行処理と、前記実行処理による前記撮像条件設定処理と前記撮影対象選択処理の実行中に、一方の処理の処理状態を他方の処理の処理内容に反映させる制御を行う制御処理と、を含むことを特徴としている。
【手続補正３】
【補正対象書類名】明細書
【補正対象項目名】０００８
【補正方法】変更
【補正の内容】
【０００８】
また、本発明のプログラムは、コンピュータを、指定された撮影シーンに応じた撮像条件を設定する撮像条件設定処理と、装置本体の現在位置または現在日時に応じた撮影対象を選択する撮影対象選択処理の両方の処理を実行させる実行手段、前記実行手段による前記撮像条件設定処理と前記撮影対象選択処理の実行中に、一方の処理の処理状態を他方の処理の処理内容に反映させる制御を行う制御手段として機能させることを特徴としている。
【手続補正４】
【補正対象書類名】特許請求の範囲
【補正対象項目名】全文
【補正方法】変更
【補正の内容】
【特許請求の範囲】
【請求項１】
指定された撮影シーンに応じた撮像条件を設定する撮像条件設定処理と、装置本体の現在位置または現在日時に応じた撮影対象を選択する撮影対象選択処理の両方の処理を実行させる実行手段と、
前記実行手段による前記撮像条件設定処理と前記撮影対象選択処理の実行中に、一方の処理の処理状態を他方の処理の処理内容に反映させる制御を行う制御手段と、
を備えることを特徴とする撮像装置。
【請求項２】
前記撮像条件設定処理は、予め決められた複数種の撮影シーンの中から選択された何れかの撮影シーンに対応する撮像条件を自動的に設定する処理であり、
前記撮影対象選択処理は、予め決められた複数の撮影対象の中から装置本体の現在位置または現在日時に対応する撮影対象を自動的に選択する処理であり、
前記制御手段は、前記予め決められた複数の撮影対象と前記予め決められた複数種の撮影シーンとを対応付ける所定の情報を利用して、前記一方の処理の処理状態を他方の処理の処理内容に反映させる制御を行う
ことを特徴とする請求項１に記載の撮像装置。
【請求項３】
前記制御手段は、前記撮像条件設定処理の実行により、前記何れかの撮影シーンが選択されている場合には、前記撮影対象選択処理にて、前記複数の撮影対象の中で、装置本体の現在位置または現在日時に対応し、且つ、前記選択されている撮影シーンに対応付けられている撮影対象を選択するように制御することを特徴とする請求項２に記載の撮像装置。
【請求項４】
前記制御手段は、前記撮影対象選択処理の実行により、何れかの撮影対象が選択されている場合には、前記撮像条件設定処理にて、前記複数種の撮影シーンの中で、前記撮影対象選択処理の実行により選択されている撮影対象に対応付けられている撮影シーンに絞り込んで、前記撮像条件の設定に係る撮影シーンを選択することを特徴とする請求項２または３に記載の撮像装置。
【請求項５】
前記撮影対象には、前記撮像手段による特定の場所または時期での撮像に適した被写体に係る撮影対象が含まれ、
前記撮影シーンには、前記撮像手段による特定の場所または時期での撮像に適した被写体に係る撮影シーンが含まれ、
前記制御手段は、前記撮像条件設定処理の実行により、前記何れかの撮影シーンが選択されている場合には、前記撮影対象選択処理にて、前記複数の撮影対象の中で、被写体の撮像に適した場所または時期が前記撮像条件設定処理の実行により選択されている撮影シーンにおけるものと関連する撮影対象に絞り込んで選択し、前記撮影対象選択処理の実行により、前記何れかの撮影対象が選択されている場合には、前記撮像条件設定処理にて、前記複数種の撮影シーンの中で、前記撮影対象選択処理の実行により選択されている撮影対象における被写体の撮像に適した場所または時期と関連する撮影シーンに絞り込んで前記撮像条件の設定に係る撮影シーンを選択する
ことを特徴とする請求項１又は２に記載の撮像装置。
【請求項６】
前記撮像条件設定処理は、予め決められた複数種の撮影シーンの１つをユーザーに選択させ、ユーザーにより選択された撮影シーンに対応する撮像条件を自動的に設定する処理であり、
前記撮影対象選択処理は、予め決められた複数の撮影対象の中から装置本体の現在位置または現在日時に対応する撮影対象を自動的に選択し、この選択された撮影対象をユーザーに案内する処理である
ことを特徴とする請求項１乃至５のいずれかに記載の撮像装置。
【請求項７】
撮像補助方法であって、
指定された撮影シーンに応じた撮像条件を設定する撮像条件設定処理と、
装置本体の現在位置または現在日時に応じた撮影対象を選択する撮影対象選択処理と、
前記撮像条件設定処理と前記撮影対象選択処理の両方の処理を実行させる実行処理と、
前記実行処理による前記撮像条件設定処理と前記撮影対象選択処理の実行中に、一方の処理の処理状態を他方の処理の処理内容に反映させる制御を行う制御処理と、
を含むことを特徴とする撮像補助方法。
【請求項８】
コンピュータを、
指定された撮影シーンに応じた撮像条件を設定する撮像条件設定処理と、装置本体の現在位置または現在日時に応じた撮影対象を選択する撮影対象選択処理の両方の処理を実行させる実行手段、
前記実行手段による前記撮像条件設定処理と前記撮影対象選択処理の実行中に、一方の処理の処理状態を他方の処理の処理内容に反映させる制御を行う制御手段
として機能させることを特徴とするプログラム。
【手続補正書】
【提出日】平成26年2月25日(2014.2.25)
【手続補正１】
【補正対象書類名】明細書
【補正対象項目名】００２０
【補正方法】変更
【補正の内容】
【００２０】
参照電圧生成手段３は、高電位側の基準電位となる高電位側基準電源端子Ｔｒｔと、低電位側の基準電位となる低電位側基準電源端子Ｔｒｂとの間に、同一抵抗値を有する１６個の抵抗Ｒ１〜Ｒ１６を有する。１６個の抵抗Ｒ１〜Ｒ１６は、それぞれ直列に接続されている。参照電圧生成手段３は、高電位側の基準電位と低電位側の基準電位との間の電圧を抵抗Ｒ１〜Ｒ１６で分圧することで複数の参照電圧を生成する。参照電圧生成手段３は、所定の参照電圧を上位ビット側参照電圧信号線７，８又は下位ビット側参照電圧信号線９，１０を介して比較手段４に出力する。
【手続補正２】
【補正対象書類名】明細書
【補正対象項目名】００２１
【補正方法】変更
【補正の内容】
【００２１】
具体的には、参照電圧生成手段３は、高電位側基準電源端子Ｔｒｔから４個目の抵抗Ｒ４と５個目の抵抗Ｒ５との間に上位ビット側参照電圧信号線７を接続する。低電位側基準電源端子Ｔｒｂから４個目の抵抗Ｒ１３と５個目の抵抗Ｒ１２との間に上位ビット側参照電圧信号線８を接続する。
【手続補正３】
【補正対象書類名】明細書
【補正対象項目名】００２４
【補正方法】変更
【補正の内容】
【００２４】
参照電圧生成手段３は、アナログ信号を上位ビット側のデジタル信号に変換する場合には、スイッチＳＷ１〜ＳＷ８を開放（オフ）状態として、上位ビット側参照電圧信号線７，８から参照電圧を出力する。参照電圧生成手段３は、アナログ信号を下位ビット側のデジタル信号に変換する場合には、スイッチＳＷ１〜ＳＷ８を短絡（オン）状態として、下位ビット側参照電圧信号線９，１０から参照電圧を出力する。
【手続補正４】
【補正対象書類名】明細書
【補正対象項目名】００４２
【補正方法】変更
【補正の内容】
【００４２】
トランジスタＴ３３のゲート端子には逆相入力端子２８が接続されており逆相入力信号が入力される。トランジスタＴ３３のドレイン端子はトランジスタＴ３１のソース端子に接続され、ソース端子は正相出力端子２６に接続される。トランジスタＴ３３は、ゲート端子から入力された逆相入力信号を増幅し正相出力信号を生成し、ソース端子から正相出力信号を出力する第２の増幅部として動作する。
【手続補正５】
【補正対象書類名】明細書
【補正対象項目名】００５５
【補正方法】変更
【補正の内容】
【００５５】
サンプルホールド手段２は、クロック信号の立ち上がりに同期して所定期間Ｔの間アナログ信号をトラック（サンプル）する。その後、サンプルホールド手段２は、次のクロック信号の立ち上がりまでの所定期間Ｈの間アナログ信号をホールドする。図５の例では、まず１クロック目にアナログ信号の入力電圧Ｖｎ１をトラック・ホールドし、次の２クロック目にアナログ信号の入力電圧Ｖｎ２をトラック・ホールドする。
【手続補正６】
【補正対象書類名】明細書
【補正対象項目名】００６２
【補正方法】変更
【補正の内容】
【００６２】
図５に戻る。論理手段５は、生成した上位ビット側及び下位ビット側のデジタル信号を出力する。従って、図５に示すようにデジタル信号は、対応するアナログ信号がサンプルホールド手段２によってトラックされてから１クロック後に出力される。
【手続補正７】
【補正対象書類名】明細書
【補正対象項目名】００６３
【補正方法】変更
【補正の内容】
【００６３】
次に、上位ビット側の２段増幅器１７の動作について説明する。なお、下位ビット側の２段増幅器１７の動作は、図５に示すようにタイミングが異なるが、それ以外の動作は上位ビット側の２段増幅器１７と同じであるため説明を省略する。
【手続補正８】
【補正対象書類名】明細書
【補正対象項目名】００９３
【補正方法】変更
【補正の内容】
【００９３】
同様に、増幅部２１のトランジスタＴ３２と負荷回路２３のトランジスタＴ３４との間、即ち逆相出力端子２５の電位が下降する。容量素子Ｃ２とトランジスタＴ３５のゲート端子との間の電位も下降するが、下降量は逆相出力端子２５の方が大きい。従って、図７に示すように、リークキャンセルスイッチ３０のトランジスタＴ３９のドレイン端子の電位がソース端子より大きくなり、ソース端子からドレイン端子へトランジスタＴ３９のオフリーク電流が流れる。
【手続補正９】
【補正対象書類名】明細書
【補正対象項目名】００９８
【補正方法】変更
【補正の内容】
【００９８】
なお、上述したアナログ／デジタル変換器１では、２段増幅器１７の後段の差動増幅器として図７に示す差動増幅器１６を用いているが、これに限られず図８〜図１２に示す差動増幅器１６ａ〜１６ｅを用いてもよい。なお、図８〜図１２では、図５に示す回路と同一の機能を有するものには同一の符号付している。
【手続補正１０】
【補正対象書類名】特許請求の範囲
【補正対象項目名】請求項４
【補正方法】変更
【補正の内容】
【請求項４】
入力信号が入力される入力端子と、前記入力信号が増幅された出力信号を出力する出力端子と、を備える差動増幅器であって、
正相の前記入力信号を増幅し、逆相の前記出力信号を生成する第１の増幅部と、
逆相の前記入力信号を増幅し、正相の前記出力信号を生成する第２の増幅部と、
前記第１の増幅部と電源端子との間に接続される第１のトランジスタと、
前記第１のトランジスタのゲート端子と前記正相の出力端子との間に設けられた第１の容量素子と、
短絡することで前記第１のトランジスタのゲート端子と前記第１のトランジスタの前記ソース端子またはドレイン端子とを接続し、開放することで前記第１のトランジスタのゲート端子と前記正相の出力端子とを接続する第１の切り替えスイッチと、
前記第２の増幅部と電源端子との間に接続される第２のトランジスタと、
前記第２のトランジスタのゲート端子と前記逆相の出力端子との間に設けられた第２の容量素子と、
短絡することで前記第２のトランジスタのゲート端子と前記第２のトランジスタの前記ソース端子またはドレイン端子とを接続し、開放することで前記第２のトランジスタのゲート端子と前記逆相の出力端子とを接続する第２の切り替えスイッチと、
を備える負荷回路と、
開放された状態で一端が前記第１の容量素子の一端に、他端が前記第１の容量素子の他端に接続された第１のキャンセルスイッチと、
開放された状態で一端が前記第２の容量素子の一端に、他端が前記第２の容量素子の他端に接続された第２のキャンセルスイッチと、を備える差動増幅器。
【手続補正１１】
【補正対象書類名】図面
【補正対象項目名】図４
【補正方法】変更
【補正の内容】
【図４】
2012205043.tif 000001
【手続補正書】
【提出日】平成26年6月11日(2014.6.11)
【手続補正１】
【補正対象書類名】特許請求の範囲
【補正対象項目名】全文
【補正方法】変更
【補正の内容】
【特許請求の範囲】
【請求項１】
メモリセルアレイと、
ロウデコーダと、
カラムデコーダと、
ロウアドレスラッチと、
カラムアドレスラッチと、を有し、
前記ロウデコーダは、ロウアドレス信号に応じて前記メモリセルアレイの特定行を選択する機能を有し、
前記カラムデコーダは、カラムアドレス信号に応じて前記メモリセルアレイの特定列を選択する機能を有し、
前記ロウアドレスラッチは、前記ロウアドレス信号を保持する機能を有し、
前記ロウアドレスラッチは、前記ロウアドレス信号を前記ロウデコーダに出力する機能を有し、
前記カラムアドレスラッチは、前記カラムアドレス信号を保持する機能を有し、
前記カラムアドレスラッチは、前記カラムアドレス信号を前記カラムデコーダに出力する機能を有し、
前記メモリセルアレイは、メモリセルを有し、
前記メモリセルは、第１のトランジスタを有し、
前記第１のトランジスタのチャネル領域は、酸化物半導体を有し、
前記第１のトランジスタのソース又はドレインの一方と電気的に接続されたノードを有し、
前記ノードにおいてデータの保持を行うことができ、
前記ロウアドレス信号の供給及び前記カラムアドレス信号の供給は、共通の配線を介して行われることを特徴とする半導体装置。
【請求項２】
請求項１において、
前記メモリセルに保持されたデータは、多値化されていることを特徴とする半導体装置。
【請求項３】
請求項１又は請求項２において、
前記ロウアドレスラッチ及び前記カラムアドレスラッチの少なくとも一方は、第２のトランジスタを有し、
前記第２のトランジスタのチャネル領域は、酸化物半導体を有することを特徴とする半導体装置。
【請求項４】
請求項１乃至請求項３のいずれか一において、
前記酸化物半導体は、Ｉｎと、Ｇａと、Ｚｎとを有し、
前記酸化物半導体は、表面に垂直な方向に沿うようＣ軸配向した結晶を有することを特徴とする半導体装置。
【手続補正書】
【提出日】平成26年6月18日(2014.6.18)
【手続補正１】
【補正対象書類名】特許請求の範囲
【補正対象項目名】全文
【補正方法】変更
【補正の内容】
【特許請求の範囲】
【請求項１】
入力データシーケンス“ｘ”から出力圧縮状態シーケンス
【数１】
2012069103.tif 000001
を求めるための方法であって、圧縮状態シーケンス“ｓ０”の確率は、
【数２】
2012069103.tif 000002
に従って前記入力データシーケンスの全てのセグメンテーション“ｙ”を周辺化することによって与えられ、ここで、シンボル
【数３】
2012069103.tif 000003
は圧縮関数を表し、該方法は、
ｐ(ｃ＝ｃ０|ｘ）に従う前記入力データシーケンス“ｘ”＝｛ｘ１，ｘ２，．．．，ｘＴ｝に対応する可能な圧縮状態シーケンスの長さｃの確率を求めるステップと、
前記出力圧縮状態シーケンス
【数４】
2012069103.tif 000004
の長さ
【数５】
2012069103.tif 000005
を推定するステップであって、前記長さ
【数６】
2012069103.tif 000006
は
【数７】
2012069103.tif 000007
に従う最大確率を有するものと、
【数８】
2012069103.tif 000008
に従う長さ
【数９】
2012069103.tif 000009
を有する出力圧縮状態シーケンスにおいて各状態ｓｉの確率を求めるステップであって、ここで、
【数１０】
2012069103.tif 000010
であるものと、
【数１１】
2012069103.tif 000011
に従う最大確率を有する各圧縮状態
【数１２】
2012069103.tif 000012
を推定して、前記出力圧縮状態シーケンス
【数１３】
2012069103.tif 000013
を推定するステップと、
を備え、前記各ステップはプロセッサにおいて実行される、方法。
【請求項２】
前記出力圧縮状態シーケンスはロボットを追跡するものである、請求項１に記載の方法。
【請求項３】
前記出力圧縮状態シーケンスは単一ストロークの文字を認識するものである、請求項１に記載の方法。
【請求項４】
前記出力圧縮状態シーケンスは手書きの単語を認識するものである、請求項１に記載の方法。
【請求項５】
前記出力圧縮状態シーケンスは車両のタイヤ及びトレーラーの数をカウントして料金を求めるものである、請求項１に記載の方法。
【請求項６】
前記出力圧縮状態シーケンスは発話を認識するものである、請求項１に記載の方法。
【請求項７】
前記出力圧縮状態シーケンスにおける各前記状態はラベルを含む、請求項１に記載の方法。
【請求項８】
前記出力圧縮状態シーケンスは隠れマルコフモデルを用いて求められる、請求項１に記載の方法。
【請求項９】
前記出力圧縮状態シーケンスは条件付き確率場を用いて求められる、請求項１に記載の方法。
【請求項１０】
前記入力データシーケンスは時系列である、請求項１に記載の方法。
【手続補正書】
【提出日】平成26年9月8日(2014.9.8)
【手続補正１】
【補正対象書類名】特許請求の範囲
【補正対象項目名】全文
【補正方法】変更
【補正の内容】
【特許請求の範囲】
【請求項１】
プロセス制御システムのユーザに検索サービスを提供するためのシステムであって、
プロセス制御システムに関連付けられた一連の検索可能なアイテムを格納し、選択されるクエリ結果に関連付けられた検索プロファイルを格納するための検索データベースと、  前記プロセス制御システムから前記検索可能なアイテムに関連付けられた情報を収集し、前記収集された情報を前記検索データベースへ発行するためのパブリッシャと、
前記データベース内の前記検索プロファイルおよび前記検索可能なアイテムのクエリを含むリクエストを受信し、前記クエリに基づいて前記検索可能なアイテムを検索し、前記検索プロファイルに基づいて前記収集された情報のうちの少なくとも一部を返すための、  サーチャと、
を備える、システム。
【請求項２】
前記収集された情報は、動作データ、デバイスの測定値、警告、注意、またはデバイスの場所のうちの少なくとも１つを含む、請求項１に記載のシステム。
【請求項３】
前記サーチャは、前記クエリに基づいて、前記検索プロファイルを変更するためのものである、請求項１〜請求項３の何れか１項に記載のシステム。
【請求項４】
前記検索データベースは、オフラインおよびオンラインのプロセス制御デバイスに関連付けられた情報を格納する、請求項１〜請求項２の何れか１項に記載のシステム。
【請求項５】
前記検索プロファイルは、１つ以上のタイプの検索結果に対するユーザ設定を含む、請求項１〜請求項４の何れか１項に記載のシステム。
【請求項６】
前記サーチャは、前記収集された情報に基づいて、前記検索可能なアイテムをインデックスするためのインデクサを備える、請求項１〜請求項５の何れか１項に記載のシステム。
【請求項７】
前記クエリは、アプリケーションコンテキストを含み、前記サーチャは、前記アプリケーションコンテキストに基づいて、前記検索可能なアイテムを検索するためのものである、請求項１〜請求項６の何れか１項に記載のシステム。
【請求項８】
前記サーチャは、前記クエリの受信に応答して、前記パブリッシャからの更新サービスをリクエストするためのものである、請求項１に記載のシステム。
【請求項９】
プロセス制御システムのユーザに検索サービスを提供するための方法であって、
複数の検索可能なアイテムに関連付けられた第１の情報に対してプロセス制御システムを監視することと、
前記第１の情報を検索データベースに発行することと、
前記検索可能なアイテムのクエリを含む、リクエストをリクエスト者から受信し、検索プロファイルを特定することと、
前記クエリおよび前記検索プロファイルに基づいて、前記検索可能なアイテムに関連付けられた第２の情報を含む応答を生成することと、
前記応答を前記リクエスト者に送信することと、
を含む、方法。
【請求項１０】
前記検索可能なアイテムは、プロセス制御デバイス、プロセス制御デバイスに関連付けられた動作データ、またはプロセス制御デバイスに関連付けられた製造データのうちの少なくとも１つを含む、請求項９に記載の方法。
【請求項１１】
前記クエリに基づいて、前記検索プロファイルを変更することをさらに含む、請求項９又は請求項１０に記載の方法。
【請求項１２】
前記検索プロファイルを変更することは、前記クエリに基づいて、前記検索プロファイルに関連付けられた以前のクエリを加重することを含む、請求項９〜請求項１１の何れか１項に記載の方法。
【請求項１３】
前記検索プロファイルは、前記検索プロファイルに関連付けられた、所望の検索結果、追加のクエリデータ、または過去のクエリのうちの少なくとも１つを含む、請求項９〜請求項１２の何れか１項に記載の方法。
【請求項１４】
前記クエリを絞り込むように前記リクエスト者にリクエストすることをさらに含む、請求項９〜請求項１３の何れか１項に記載の方法。
【請求項１５】
実行された場合に、機械に、
複数の検索可能なアイテムに関連付けられた第１の情報に対してプロセス制御システムを監視することと、
前記第１の情報を検索データベースに発行することと、
前記検索可能なアイテムのクエリを含む、リクエストをリクエスト者から受信し、検索プロファイルを特定することと、
前記クエリおよび前記検索プロファイルに基づいて、前記検索可能なアイテムに関連付けられた第２の情報を含む応答を生成することと、
前記応答を前記リクエスト者に送信することと、
を行わせる、機械可読命令を備える、製品。
【請求項１６】
前記検索可能なアイテムは、プロセス制御デバイス、プロセス制御デバイスに関連付けられた動作データ、またはプロセス制御デバイスに関連付けられた製造データのうちの少なくとも１つを含む、請求項１５に記載の製品。
【手続補正書】
【提出日】平成26年8月18日(2014.8.18)
【手続補正１】
【補正対象書類名】特許請求の範囲
【補正対象項目名】全文
【補正方法】変更
【補正の内容】
【特許請求の範囲】
【請求項１】
酸化物半導体を含むチャネル形成領域を有するエンハンスメント型のトランジスタと、
第１の電極及び第２の電極の間にＥＬ層が設けられた発光素子と、を有し、
前記トランジスタは、ソース電極及びドレイン電極を有し、
前記ソース電極または前記ドレイン電極と前記第１の電極が電気的に接続された半導体装置の設計方法であって、
基板の一方の面に酸化珪素膜を形成し、
前記酸化珪素膜を覆って有機膜を形成し、
前記有機膜に重水を塗布し、
前記重水を取り除き、
前記有機膜に接して導電膜を形成し、
前記酸化珪素膜中の重水素原子の濃度を測定し、
前記測定の結果、前記重水素原子が１×１０１５ａｔｏｍｓ／ｃｍ３以上１×１０１７ａｔｏｍｓ／ｃｍ３以下の濃度となる導電材料を選定し、
前記導電材料を前記第２の電極に適用することを特徴とする半導体装置の設計方法。